(57)【要約】      （修正有）【課題】メカ構造を用いず、原始的な操作もせず、指で人形の頭部を押して離す操作で頭部を動かすことができる首振りクラフト人形を提供する。 【解決手段】クラフト人形は、紙又は樹脂フィルムの可撓性素材で形成され、頭部６と胴体部７よりなる。頭部の後方には楔状の差し込み部１が、胴体部には差し込み孔２が設けられ、差し込み部を差し込み孔に挿入し係止する事で頭部と胴体部が係合支持される構造であり、それぞれに設けられたばね部３と４が一対として作用し、頭部を指で下方に押してから離すと、反力で頭部が元に戻る。【選択図】図４
0003213821.tif 000002
【実用新案登録請求の範囲】
【請求項１】
紙、樹脂フィルムでなる可撓性素材で形成し、頭部と胴体部とで構成されるクラフト人形において、
前記頭部の後方にくさび状の差し込み部を設け、前記胴体部の上方に差し込み孔を設け、該差し込み部を該差し込み孔に挿入して係止されることで頭部を胴体部に係合支持する構成とし、
前記頭部と前記胴体部にそれぞれ一片のばね部を設け、該頭部と該胴体部が係合支持された状態では該ばね部が一対のばね部として接触作用する構成とし、
該頭部を指で下方に押して離すと前記ばね部の反力で該頭部を上方に復帰させる構成とした首振りクラフト人形
【請求項２】
前記胴体部に設けられた差し込み孔の後方にばね部を設け、該胴体部と前記頭部が係合支持された状態では該ばね部がその反力で該頭部の差し込み部を前方に押し込む構成としたことを特徴とする請求項１記載の首振りクラフト人形
【請求項３】
前記クラフト人形がペーパークラフト人形であって、該人形を構成する複数のパーツが紙シート等に展開図状に印刷され、該パーツの切り取りと折り曲げが容易なように輪郭型抜きとミシン目加工が施されていることを特徴とする請求項１乃至２の何れか一項に記載のクラフト人形
【考案の詳細な説明】
【技術分野】
【０００１】
本考案は、紙や樹脂フィルムなどの可撓性素材からなる頭部と胴体部とで構成されるペーパークラフト人形において、頭部を押下げるとその反力で上方に復帰することを特徴とするクラフト人形に関する。
【背景技術】
【０００２】
従来、クラフト人形における手足等の各部位の可動は、モーターやクランク等を使って動かすものや、実用新案登録第３０６８３１４広報に開示されるように直接部位を手で動かすものが一般的であった。
【先行技術文献】
【特許文献】
【０００３】
【特許文献１】実用新案登録第３０６８３１４広報
【考案の概要】
【考案が解決しようとする課題】
【０００４】
部位の可動にモーターやクランク等を使用する構成では構造が複雑化し、コスト的にも高価なものとなる。また所望のパーツを直接手で回動さる構造のものは、片方の手で本体部を保持し、もう片方の手で所望のパーツを動かす必要がある。また、その所望のパーツを元の位置に戻す場合にも、同様の操作が必要となる。本考案は電動的なメカ構造を用いず、なおかつ原始的な操作をせずに、指一本で軽く人形の頭部を押して離すだけで頭部を動かすことを目的としている。
【課題を解決するための手段】
【０００５】
上記の課題を解決するために、本考案は以下の構成からなる首振りクラフト人形を考案した。“図５”は本考案によるクラフト人形の外観図であり、頭部（６）と胴体部（７）とで構成されている
“図４”に示すように頭部（６）の後方にはくさび状の差し込み部（１）が、そして胴体部（７）には差し込み孔（２）が設けられており、差し込み部（１）を差し込み孔（２）に挿入して係止することで頭部と胴体部が係合支持される構造となっている。
【０００６】
“図５”にあるように、頭部と胴体部が係合支持された状態では、それぞれに設けられたばね部（３）（４）が一対のばね部として作用しあい、“図６”にあるように頭部が下方に押し込まれるとその反力で元の位置に戻る構成となっている。
【考案の効果】
【０００７】
本考案はつぎに示すような効果を奏する。
（イ）クラフト人形の頭部を指で押し込んでから離すことで頭部を上下に動かすことができる。
（ロ）割りピンやモーター、クランク等を使うことがないので、頭部が動くクラフト人形を安価に提供することができる。
（ハ）輪郭型抜きとミシン目加工により、紙シート等からの取り外しに於いて、ハサミ等を使わず手で取り外すことができ、折線に沿って簡単にしかも綺麗にクラフト人形を組立てることができる。
【図面の簡単な説明】
【０００８】
【図１】ばね部の斜視図
【図２】一対のばね部の構成を示す斜視図
【図３】クラフト人形の部位を平面シートに印刷した展開図
【図４】クラフト人形の頭部と胴体部の斜視図
【図５】クラフト人形の外観図
【図６】クラフト人形の動きを表した斜視図
【考案を実施するための形態】
【０００９】
該クラフト人形は、“図４”にあるように頭部（６）と胴体部（７）とで構成されており、それぞれが紙もしくは樹脂フィルムのような撓りのある平面素材で形成されている。前記クラフト人形の各部位は“図３”に示されるようなシート状の素材に印刷されている。“図５”は、各部位をシートから切り離し、立体的に組み上げた状態のものである。
【００１０】
“図４”に示すように頭部（６）の後方にはくさび状の差し込み部（１）が、そして胴体部（７）には差し込み孔（２）が設けられており、差し込み部（１）を差し込み孔（２）に挿入し係止することで頭部と胴体部が係合支持される構造となっている。そして“図５”にあるように、頭部と胴体部が係合支持された状態では、それぞれに設けられたばね部（３）（４）が一対のばね部として作用しあい、“図６”にあるように頭部が下方に押し込まれるとその反力で元の位置に戻る構成となっている。
【実施例】
【００１１】
以下、図面にしたがい本考案の実施例を説明する。
請求項１記載のクラフト人形の構成について、“図１”、“図２”、“図４”、“図５”、“図６”を用いて説明する。“図１”にあるように紙もしくは樹脂フィルムのような撓りのある平面素材は折り曲げると元に復元する力が働き、“図２”のようにそれを２つ組み合わせると互いの力で更に復元する力が大きくなる。これを応用したものが“図５”にある首振りクラフト人形である。頭部（６）に設けられたばね部（３）と胴体部（７）に設けられたばね部（４）が接触して互いに作用しあっている。そして頭部（６）に設けられたくさび状の差し込み部（１）が胴体部（７）に設けられた差し込み孔（２）に挿入され、それらが係合支持されることで頭部と胴体部が結合する構造となっている。そして“図６”にあるように、頭部が下方に押し下げられると、ばね部の反力で頭部が上方へ持ち上げられる。
【００１２】
請求項２記載のクラフト人形の構成ついて、“図５”を用いて説明する。頭部（６）に設けられたくさび状の差し込み部（１）が胴体部（７）に設けられた差し込み孔（２）に挿入され、それらが係合支持されることで頭部と胴体部が結合する構造となっているが、差し込み孔（２）の奥行方向にはある程度のゆとりがないと頭部の上下運動に支障をきたすので、
差し込み部（１）の厚さよりも十分な奥行を持たせている。しかし、奥行きがありすぎると差し込み部（１）が前後方向に移動してしまう。この動きを抑止しているのが胴体部（７）の差し込み孔（２）後方に設けたばね部（５）である。このばね部（５）は、胴体部の内側に折られて差し込み部（１）に相対するような構造となっている。
【００１３】
請求項３記載のクラフト人形の構成ついて、“図３”を用いて説明する。前記のクラフト人形を構成する頭部（６）と胴体部（７）は平面上の紙シートで形成されており、さらには各パーツが“図３”に示されるように、紙シート等に展開図状に印刷されている。そして各パーツが印刷された紙シートには、それぞれのパーツが簡単に切り取り可能なようにパーツの輪郭に型抜き加工が施されており、さらにパーツを折り曲る箇所には折り曲げ易いようにミシン目加工が施されている。
【産業上の利用可能性】
【００１４】
最近はフィギュアやキャラクターが注目されているが、それをデフォルメしてクラフト人形化して、しかもその両腕を指一本で簡単に動かせるようになれば、クラフト人形の付加価値が向上する。そのようにすればオリジナルのキャラクター商品として、あるいはイベントなどでのノベルティとして、あるいは雑誌や書籍の綴じ込み付録として利用される可能性がある。
【符号の説明】
【００１５】
（１）    差し込み部
（２）    差し込み孔
（３）    頭部のばね部
（４）    胴体部のばね部
（５）    差し込み孔のばね部
（６）    頭部
（７）    胴体部
【図１】
0003213821.tif 000003
【図２】
0003213821.tif 000004
【図３】
0003213821.tif 000005
【図４】
0003213821.tif 000006
【図５】
0003213821.tif 000007
【図６】
0003213821.tif 000008
【手続補正書】
【提出日】平成29年9月16日(2017.9.16)
【手続補正１】
【補正対象書類名】実用新案登録請求の範囲
【補正対象項目名】全文
【補正方法】変更
【補正の内容】
【実用新案登録請求の範囲】
【請求項１】
紙又は樹脂フィルムでなる可撓性素材で形成し、頭部と胴体部とで構成されるクラフト人形において、
前記頭部の後方にくさび状の差し込み部を設け、前記胴体部の上方に差し込み孔を設け、該差し込み部を該差し込み孔に挿入して係止されることで頭部を胴体部に係合支持する構成とし、
前記頭部と前記胴体部にそれぞれ一片のばね部を設け、該頭部と該胴体部が係合支持された状態では該ばね部が一対のばね部として接触作用する構成とし、
該頭部を指で下方に押して離すと前記ばね部の反力で該頭部を上方に復帰させる構成とした首振りクラフト人形。
【請求項２】
前記胴体部に設けられた差し込み孔の後方にばね部を設け、該胴体部と前記頭部が係合支持された状態では該ばね部がその反力で該頭部の差し込み部を前方に押し込む構成としたことを特徴とする請求項１記載の首振りクラフト人形。
【請求項３】
前記クラフト人形がペーパークラフト人形であって、該人形を構成する複数のパーツが紙シートに展開図状に印刷され、該パーツの切り取りと折り曲げが容易なように輪郭型抜きとミシン目加工が施されていることを特徴とする請求項１乃至２の何れか一項に記載の首振りクラフト人形。